(57)【特許請求の範囲】
【請求項１】
回転自在に支持されたインキツボローラと、前記インキツボローラに対して接近離間可能に支持されたインキツボ装置とを備え、前記インキツボ装置を、前記インキツボローラに接近させた固定位置と、前記インキツボローラから離間させた脱位置と、前記固定位置と脱位置との間に設けた中間位置とに切替可能に設けると共に、前記インキツボ装置を前記３つの位置に位置付けられるように切り替える切替手段を設けた輪転印刷機のインキ装置において、
前記切替手段は、印刷機の左，右フレーム側に回動自在に支持された偏心ピンと、該偏心ピンに固設されて同偏心ピンを回動操作すると共に前記３つの位置に対応して前記フレーム側に位置決めされるロックハンドルと、前記偏心ピンの偏心軸部に回動自在に嵌合されて前記インキツボ装置の係合ピンに係合し、前記脱位置で係合を解除するフックとを備えると共に、
前記インキツボローラとインキツボ装置との対が上下方向に複数対配置され、前記中間位置はその下方のインキツボ装置における上下方向のスペースを確保する位置に設定されることを特徴とする輪転印刷機のインキ装置。
【請求項２】
前記インキツボ装置と該インキツボ装置を揺動自在に軸支する印刷機フレームとの間に、前記インキツボ装置の固定位置ではばね力でインキツボ装置を付勢してインキツボ装置の各支持軸部でのガタを防止するガタ防止手段を介設したことを特徴とする請求項１に記載の輪転印刷機のインキ装置。
【発明の詳細な説明】
【０００１】
【発明の属する技術分野】
本発明は、輪転印刷機のインキ装置に関する。
【０００２】
【従来の技術】
輪転印刷機として、従来、例えば図５に示すような４色両面同時印刷オフセット機がある（特許第２６１２５９４号公報等参照）。
【０００３】
これによれば、本機の印刷部１００では、紙くわえ装置を備えているゴム圧胴１０１と紙くわえ装置を備えていないゴム胴１０２とが略水平に支承されており、各々の周面が対接している。
【０００４】
そして、ゴム圧胴１０１の周面には４つの版胴１０３が配置され、またゴム胴１０２の周面にも４つの版胴１０４が配置されている。これらの版胴１０３，１０４に対し接近・離反できるようにインキユニット１０５，１０６が移動可能に設けられ、版胴１０３，１０４に接した状態でインキや水の供給を行えるようになっている。
【０００５】
一方、排紙部１０７のデリバリ胴１０８はゴム圧胴１０１の下方に配置され、チェーン１０９はゴム圧胴１０１とゴム胴１０２の周面が対接する位置の下方空間を横断することなくデリバリ胴１０８よりも図中左方に配置される。
【０００６】
また、紙くわえ装置を備えており、見当部１１０からゴム圧胴１０１へ紙を渡す渡胴１１１〜１１４が設けられると共に、紙くわえ装置を備えており、ゴム圧胴１０１からデリバリ胴１０８へ紙を渡す渡胴１１５が設けられる。尚、図中１１６は給紙部である。
【０００７】
従って、給紙部１１６から供給されて見当部１１０によって位置決めされた紙は、図中矢印で示す経路、即ち、渡胴１１１〜１１４→ゴム圧胴１０１→渡胴１１５→デリバリ胴１０８の各周面に沿い搬送され、ゴム圧胴１０１とゴム胴１０２の対接点を上方から下方に向い通過するときにその両面に同時に印刷が施されることになる。
【０００８】
そして、前記各インキユニット１０５，１０６内には４色分のインキ装置１０５ａ〜１０５ｄ，１０６ａ〜１０６ｄが設けられる。これらのインキ装置１０５ａ〜１０５ｄ，１０６ａ〜１０６ｄは、左右のフレームに軸支されて回転するインキツボローラと、このインキツボローラの周面と両端部のせき、及びインキブレードで形成される断面三角形状のインキツボ装置とを備えており、インキツボ装置内に蓄えられたインキは、インキツボローラの回転によりその周面とインキブレード先端とのすき間から流出してインキツボローラの周面に付着する。
【０００９】
インキツボローラの近傍には、これと平行するインキ練りローラが軸架されており、インキツボローラの周面に付着したインキは、アームに支持されてその揺動によりインキツボローラとインキ練りローラとの間を往復動するインキ移しローラによってインキ練りローラに転移し、このあと多数のインキローラ群間で転移する間に各方向へ均一にならされた後、インキ着けローラで版胴上の版面に供給されるようになっている。
【００１０】
このように構成されたインキ装置１０５ａ〜１０５ｄ，１０６ａ〜１０６ｄにおいて、前記インキツボ装置は、従来、印刷時のツボ位置（固定位置）と清掃、調整、長期間機械停止時のツボ位置（脱位置）との２つの位置に切替可能になっている。そして、前記固定位置での固定方式には、作業者の手作業によるボルト・ナットの固定方式が採用されていた。
【００１１】
【発明が解決しようとする課題】
従来のインキ装置にあっては、上述したようにインキツボ装置が２つの位置にしか切り替えられないため、インキツボ装置が上下方向に多段に配置された例えば４色両面同時印刷オフセット機等において、使用しないインキツボ装置を脱位置に切り替えた場合、その下方の使用するインキツボ装置との間の上下方向スペースが小さくなり、上下方向のツボ操作スペースの確保が困難になるという不具合があった。
【００１２】
加えて、インキツボ装置は作業者の手作業によるボルト・ナットの固定方式であるため、固定時に締付力の変化が発生し、インキツボローラとインキブレードのすき間が変化してインキ出し量が変化するという問題点があった。また、トルクレンチ等による締付力管理方式も実施されているが、これだと工具を必要とする煩わしい作業になってしまうという欠点があった。
【００１３】
そこで、本発明の目的は、上下方向のツボ操作スペースの確保が容易であると共に工具無しでインキツボ装置を一定の締付力で固定することができる輪転印刷機のインキ装置を提供することにある。
【００１４】
【課題を解決するための手段】
上記目的を達成するための本発明の構成は、回転自在に支持されたインキツボローラと、前記インキツボローラに対して接近離間可能に支持されたインキツボ装置とを備え、前記インキツボ装置を、前記インキツボローラに接近させた固定位置と、前記インキツボローラから離間させた脱位置と、前記固定位置と脱位置との間に設けた中間位置とに切替可能に設けると共に、前記インキツボ装置を前記３つの位置に位置付けられるように切り替える切替手段を設けた輪転印刷機のインキ装置において、
前記切替手段は、印刷機の左，右フレーム側に回動自在に支持された偏心ピンと、該偏心ピンに固設されて同偏心ピンを回動操作すると共に前記３つの位置に対応して前記フレーム側に位置決めされるロックハンドルと、前記偏心ピンの偏心軸部に回動自在に嵌合されて前記インキツボ装置の係合ピンに係合し、前記脱位置で係合を解除するフックとを備えると共に、
前記インキツボローラとインキツボ装置との対が上下方向に複数対配置され、前記中間位置はその下方のインキツボ装置における上下方向のスペースを確保する位置に設定されることを特徴とする。
【００１５】
また、前記インキツボ装置と該インキツボ装置を揺動自在に軸支する印刷機フレームとの間に、前記インキツボ装置の固定位置ではばね力でインキツボ装置を付勢してインキツボ装置の各支持軸部でのガタを防止するガタ防止手段を介設したことを特徴とする。
【００１６】
【発明の実施の形態】
以下、本発明に係る輪転印刷機のインキ装置を実施例により図面を用いて詳細に説明する。
【００１７】
［実施例］
図１は本発明の一実施例を示す輪転印刷機のインキ装置の平面図、図２は同じく図１のＡ−Ａ線断面図、図３は同じく図１のＢ−Ｂ線断面図、図４は同じくインキツボ装置の切替動作の説明図である。
【００１８】
図１乃至図３に示すように、輪転印刷機の左，右フレーム１，２間にインキツボ装置３が枢軸４により揺動自在に支持され、後述する左右一対の切替手段５により、同じく前記左，右フレーム１，２間に回転自在に軸支されたインキツボローラ６に対して接近離間可能になっている。
【００１９】
前記インキツボ装置３は、そのツボ本体３ａの上面部に左，右一対のせき７が固設されると共に、ツボ本体３ａの前面部にツボハンドル８が固設される。また、ツボ本体３ａの左，右両端面部には係合ピン９が突設される。
【００２０】
さらに、ツボ本体３ａの左，右両端部には皿ばね１０で付勢されたガタ防止用のボルト１１がストッパーナット１２とともに組み付けられ（ガタ防止手段）、インキツボ装置３の後述する固定位置でのロック時には、前記ガタ防止用のボルト１１が前記左，右フレーム１，２の内面に突設されたブラケット１３の下面に押し当てられてインキツボ装置３の各軸支持部のガタ防止が図れるようになっている。
【００２１】
前記切替手段５は、前記ブラケット１３を貫通して左，右フレーム１，２に回動自在に支持された偏心ピン１４と、該偏心ピン１４の基端部に固設されて同偏心ピン１４を回動操作するロックハンドル１５とを有する。このロックハンドル１５の先端部にはスプリング１６で付勢された鋼球１７が組み付けられ、この鋼球１７が前記左，右フレーム１，２の内面に形成した三つの係合溝１８ａ，１８ｂ，１８ｃに選択的に係合することで、前記インキツボ装置３が前記インキツボローラ６に接近した印刷時の固定位置（係合溝１８ａに対応する）と、清掃、調整、長期間機械停止時の脱位置（係合溝１８ｂに対応する）と、前記固定位置と脱位置との間に仮固定される中間位置（係合溝１８ｃに対応する）とに位置付けられるようになっている。
【００２２】
そして、前記偏心ピン１４の先端部における偏心軸部１４ａには、回動自在にフック１９が嵌合され、このフック１９が前述した係合ピン９に、前記インキツボ装置３が前記固定位置と中間位置に位置付けされているときに、係合するようになっている。
【００２３】
また、前記偏心ピン１４の中間軸部１４ｂには、支持ブロック２０を介してプランジャ（解除手段）２１が設けられ、このプランジャ２１が、前記偏心ピン１４の所定の回動位置即ち、前記ロックハンドル１５が係合溝１８ｂに係合する位置で、前記フック１９の側面に付設したストッパピン（解除手段）２２に押し当てられてフック１９が係合ピン９から離脱するようになっている。尚、図中２３はインキツボ装置３の脱位置におけるストッパである。
【００２４】
このように構成されるため、次に、図４を用いて前記インキツボ装置３の切替動作を説明する。
【００２５】
先ず、図４の（ａ）で示すインキツボ装置３のインキツボローラ６に接近した印刷時の固定位置への切替時には、ロックハンドル１５の鋼球１７がスプリング１６に付勢されて左，右フレーム１，２の係合溝１８ａに係合される。
【００２６】
この状態では、偏心ピン１４の偏心軸部１４ａに支持されたフック１９がツボ本体３ａの係合ピン９に係合して当該状態が安定して保持される。また、ツボ本体３ａ側のボルト１１の頭部が皿ばね１０に付勢されて左，右フレーム１，２側のブラケット１３の下面に押し当てられるので、ツボ本体３ａは枢軸４を中心に常に時計方向に回動付勢され、これによって、枢軸４や偏心ピン１４（偏心軸部１４ａ）などの各支持軸部でのガタ防止が図られ、インキツボ装置３が精度良く固定される。即ち、インキツボ装置３が特別な工具無しで一定の締付力で固定位置に固定され、高精度のインキ供給が奏されるのである。
【００２７】
次に、図４の（ｂ）で示すインキツボ装置３の中間位置（一時的に使用しない仮固定位置）への切替時には、ロックハンドル１５の鋼球１７がスプリング１６に付勢されて左，右フレーム１，２の係合溝１８ｃに係合される。
【００２８】
この状態では、偏心ピン１４の反時計方向への回動に伴う偏心軸部１４ａの偏心作用で、フック１９が左，右フレーム１，２に対し下方へ若干変位するため、このフック１９に係合ピン９を介して係合するツボ本体３ａが枢軸４を中心に時計方向に若干回動する。
【００２９】
これにより、図示しないインキツボキーをツボ本体３ａにセットしたまま同じく図示しないインキブレードの先端をインキツボローラ６の周面から逃がしておくことができ、次回の使用時には迅速に対応できる。また、ツボ本体３ａは後述する脱位置と異なり、固定位置から若干下方に変位しただけであるため、その下方には十分なスペースが確保されたままである。即ち、インキツボ装置３が上下方向に多段に配置された４色両面同時印刷オフセット機等において、使用しないインキツボ装置３があったとしても、その下方の使用するインキツボ装置３における上下方向のツボ操作スペースが十分確保されるのである。
【００３０】
次に、図４の（ｃ）で示すインキツボ装置３の清掃、調整、長期間機械停止時の脱位置への切替時には、ロックハンドル１５の鋼球１７がスプリング１６に付勢されて左，右フレーム１，２の係合溝１８ｂに係合される。
【００３１】
この状態では、偏心ピン１４の反時計方向への回動に伴い、プランジャ２１の先端がフック１９に付設したストッパピン２２に押し当てられてフック１９が偏心軸部１４を中心に反時計方向へ回動付勢されるため、ツボハンドル８を操作してツボ本体３ａを枢軸４を中心に反時計方向に若干回動させる（持ち上げる）ことで、フック１９がツボ本体３ａの係合ピン９から自動的に離脱する。そして、そのままツボ本体３ａをストッパ２３に当たるまで下げれば、インキツボ装置３は脱位置に位置付けられる。
【００３２】
このようにして、本実施例では、ハンドル操作で容易かつ迅速に、さらには精度良くインキツボ装置３を印刷時の固定位置と、清掃、調整、長期間機械停止時の脱位置と、前記固定位置と脱位置との間に仮固定される中間位置とに切り換えられると共に、中間位置へ切り替えることで上下方向のツボ操作スペースを十分確保することができる。
【００３３】
また、前記インキツボ装置３の脱位置への切替後は、ロックハンドル１５をインキツボ装置３の中間位置に対応する係合溝１８ｃに戻しておくと、次にインキツボ装置３を固定位置に切り替える時に迅速に対応できて好適である。即ち、ツボハンドル８を上方へ持ち上げるとフック１９の先端の傾斜面に沿って係合ピン９がせり上がり、その後係合ピン９がフック１９の先端を乗り越えると、係合ピン９がフック１９に係合される。そして、ロックハンドル１５を係合溝１８ａの位置に回動させることにより、インキツボ装置３が固定位置に位置付けられる。
【００３４】
尚、本発明は上記実施例に限定されず、本発明の要旨を逸脱しない範囲で、フックと係合ピンとの係合状態を解除する解除手段を他の構造に変更する等各種変更が可能である。
【００３５】
【発明の効果】
以上説明したように本発明によれば、回転自在に支持されたインキツボローラと、前記インキツボローラに対して接近離間可能に支持されたインキツボ装置とを備えた輪転印刷機のインキ装置において、前記インキツボ装置を、前記インキツボローラに接近させた固定位置と、前記インキツボローラから離間させた脱位置と、前記固定位置と脱位置との間に設けた中間位置とに切替可能に設けると共に、前記インキツボ装置を前記３つの位置に位置付けられるように切り替える切替手段を設けたことを特徴とするので、上下方向のツボ操作スペースの確保が容易であると共に工具無しでインキツボ装置を一定の締付力で固定することができる。
【００３６】
また、前記切替手段は、印刷機の左，右フレーム側に回動自在に支持された偏心ピンと、該偏心ピンに固設されて同偏心ピンを回動操作すると共に前記３つの位置に対応して前記フレーム側に位置決めされるロックハンドルと、前記偏心ピンの偏心軸部に回動自在に嵌合されて前記インキツボ装置の係合ピンに係合し、前記脱位置で係合を解除するフックとを備えることを特徴とするので、ハンドル操作で容易かつ迅速に切り替えられる。
【図面の簡単な説明】
【図１】本発明の一実施例を示す輪転印刷機のインキ装置の平面図である。
【図２】同じく図１のＡ−Ａ線断面図である。
【図３】同じく図１のＢ−Ｂ線断面図である。
【図４】同じくインキツボ装置の切替動作の説明図である。
【図５】従来例の４色両面同時印刷オフセット機の全体側面図である。
【符号の説明】
１，２  印刷機のフレーム
３  インキツボ装置
３ａ  ツボ本体
４  枢軸
５  切替手段
６  インキツボローラ
７  せき
８  ツボハンドル
９  係合ピン
１０  皿ばね
１１  ボルト
１２  ストッパーナット
１３  ブラケット
１４  偏心ピン
１４ａ  偏心軸部
１４ｂ  中間軸部
１５  ロックハンドル
１６  スプリング
１７  鋼球
１８ａ，１８ｂ，１８ｃ  係合溝
１９  フック
２０  支持ブロック
２１  プランジャ
２２  ストッパピン
２３  ストッパ
【図１】
0004540183.tif 000002
【図２】
0004540183.tif 000003
【図３】
0004540183.tif 000004
【図４】
0004540183.tif 000005
【図５】
0004540183.tif 000006